(57)【要約】【課題】吊り下げ部を形成する折り返し板と蓋部とが確実に固定され、箱本体を陳列棒に吊り下げた場合でも、係止が不用意に外れたりすることのない包装用箱を提供する。【解決手段】胴部、蓋部及び底部からなる箱本体と、吊り下げ部とからなり、蓋部の先端には背面板及び／又は吊り下げ部に沿う蓋部先端片が設けられ、蓋部には係止スリットが形成され、吊り下げ部には係止片が形成されてなる包装用箱であって、前記折り返し板の前記係止片を除く両側の領域において、係止片近傍よりも高さ方向の長さが長くなる突出部分を設け、該突出部分の端縁が、前記係止片を係止した状態において、蓋部を押すように形成してなる包装用箱である。【選択図】図３
2008120401.tif 000002
【特許請求の範囲】
【請求項１】
正面板、背面板及び両側面板を備える胴部、前記正面板の上辺に正面側折り曲げ線を介して延設された胴部の上端開口を覆う蓋部、並びに胴部の下端開口を塞ぐ底部からなる箱本体と、該背面板から延在した延在部及び該延在部より正面側に折り返された折り返し板から形成された吊り下げ部とからなり、
前記蓋部の先端には、前記背面板及び／又は吊り下げ部に沿う蓋部先端片が、背面側折り曲げ線を介して延設され、
前記蓋部の前記背面側折り曲げ線の近傍には、該背面側折り曲げ線に沿う係止スリットが形成され、
前記折り返し板の先端領域には、前記係止スリットに挿入して係止可能な係止片が形成されてなる包装用箱であって、
前記折り返し板は、前記係止片を除く両側の領域において、係止片近傍よりも高さ方向の長さを長くする突出領域を設け、該突出領域の端縁が、前記係止片を係止した状態において、蓋部を押すように形成している包装用箱。
【請求項２】
前記折り返し板の高さ方向の長さは、係止片近傍において前記延在部と略等しく、前記突出領域は折り返し板の側方部において最も長く形成されてなる請求項１記載の包装用箱。
【請求項３】
前記蓋部先端片を、前記背面側折り曲げ線を介して上方に折り曲げ、前記吊り下げ部に沿わせてなる、請求項１又は２に記載の包装用箱。
【請求項４】
前記蓋部先端片を、係止スリット近傍部分と、その他部分とに分け、係止スリット近傍部分を前記背面側折り曲げ線を介して上方に折り曲げて前記吊り下げ部に沿わせ、その他部分を前記背面側折り曲げ線を介して下方に折り曲げて前記背面板に沿わせてなる、請求項１又は２に記載の包装用箱。
【請求項５】
前記係止片を、前記係止スリットの長さと概ね同じ幅を最大幅とし、基部を幅狭に形成し、前記係止スリットを、該係止スリットの中央と前記係止片の上下方向の中心線とが該係止スリットの軸方向に偏位する位置に形成し、
前記蓋部先端片を係止スリットの軸方向で前記偏位の方向とは逆の方向にスライド移動させた状態で前記係止片を係止スリットに挿入し、該係止片を基部まで挿入した後、スライド移動を解除して係止を完了させるように形成してなる、請求項１に記載の包装用箱。
【請求項６】
前記折り返し板の前記偏位の方向とは逆の方向の端縁を、前記偏位の距離以上の距離で背面板と側面板との稜線より内側に設けてなる、請求項５に記載の包装用箱。
【発明の詳細な説明】
【技術分野】
【０００１】
本発明は、衣料品、雑貨、薬品、電気製品、電気部品等の商品を包装し、フックに吊り下げて、店頭に展示することが可能な包装用箱に関する。
【背景技術】
【０００２】
フックに吊り下げて店頭に展示する為の包装用箱としては、所定形状に切断された紙や合成樹脂シートからなる基材を組み立てることにより製作される、正面板、背面板及び両側面板を備える胴部、蓋部並びに底部からなる箱本体と、該背面板から延在した延在部及び該延在部より正面側に折り返された折り返し板から形成された吊り下げ部とからなる包装用箱が知られている。
このような包装用箱においては、前記折り返し板の先端に係止片を、蓋部に係止スリットを、各々形成し、係止片を係止スリットに挿入することにより蓋部を係止することが行われている。（例えば、特許文献１及び２参照）
【０００３】
しかし、特許文献１の陳列用紙箱は、係止片が係止スリットに上方（高さ方向）から挿入されて係止する方式であるため、折り返し板の延在部からの折り曲げを元に戻そうとする力と、蓋部の正面側折り曲げ線の折り曲げを元に戻そうとする力とによって、折り返し板は延在部から離れ、蓋部は箱本体から浮いていくため、係止片が係止スリットから抜け易いという問題がある。
一方、特許文献２の包装用箱は、係止片と係止スリットとを設けるのに加えて、更に、蓋部に吊り下げ部に当接する突縁部を設け、かつ、折り返し板の先端辺の両端部にも突出部を設け、該突出部を背面板に沿って箱内部側に差し込むことにより、蓋部と吊り下げ部の係止を確実にしている。しかし、延在部を折り返して形成されている折り返し板には、その折り返しを元に戻し、延在部から離れようとする力が潜在的に存在し、箱本体に下方への力が加えられた場合には、その潜在的な力が係止片を介して蓋部に加えられて蓋部が浮き易くなり、係止も外れ易くなる。
【０００４】
【特許文献１】実公昭５９−３８３４３号公報
【特許文献２】特開２００６−５６５６０号公報
【発明の開示】
【発明が解決しようとする課題】
【０００５】
本発明は、上記背景技術の問題点に鑑み、包装用箱を陳列棒に吊り下げた場合でも、蓋部が浮いて蓋部と折り返し板との係止が不用意に外れることのない包装箱を提供することを目的とする。
【課題を解決するための手段】
【０００６】
本発明者らは、折り返し板の係止スリットを除く部分の端縁を、側方部の高さ方向の長さが、中央部の高さ方向の長さよりも大きくなるように傾斜させて形成した包装用箱とすることにより、その課題を解決しうることを着想した。
即ち本発明は、
正面板、背面板及び両側面板を備える胴部、前記正面板の上辺に正面側折り曲げ線を介して延設された胴部の上端開口を覆う蓋部、並びに胴部の下端開口を塞ぐ底部からなる箱本体と、該背面板から延在した延在部及び該延在部より正面側に折り返された折り返し板から形成された吊り下げ部とからなり、
前記蓋部の先端には、前記背面板及び／又は吊り下げ部に沿う蓋部先端片が、背面側折り曲げ線を介して延設され、
前記蓋部の前記背面側折り曲げ線の近傍には、該背面側折り曲げ線に沿う係止スリットが形成され、
前記折り返し板の先端領域には、前記係止スリットに挿入して係止可能な係止片が形成されてなる包装用箱であって、
前記折り返し板は、前記係止片を除く両側の領域において、係止片近傍よりも高さ方向の長さを長くする突出領域を設け、該突出領域の端縁が、前記係止片を係止した状態において、蓋部を押すように形成してなる包装用箱である。
【発明の効果】
【０００７】
本発明の包装用箱によれば、折り返し板の係止片を除く両側の領域部分の端縁を、高さ方向の長さを係止片近傍よりも長くなるように傾斜させて形成しているため、係止片を係止スリットに係止した状態において、折り返し板の蓋部に対向する端縁の係止片の両側領域で蓋部を押すことになり、蓋部が確実に固定され、浮きにくくなる。従って、包装用箱に内容物を収納して陳列棒に吊り下げた状態においても、蓋部は確実に固定され、蓋が不用意に浮いて、係止が外れることが防止される。
【発明を実施するための最良の形態】
【０００８】
以下、本発明の包装用箱を、図を参照して説明する。
図１は、本発明の包装用箱の１実施例を示す斜視図であり、図２は図１の包装用箱を形成するブランクの展開図であり、図３は図１の包装用箱の蓋部と吊り下げ部の折り返し板とを対比して示す拡大図であり、図４は、本発明の包装用箱の１実施例を示す斜視図であり、図５は図４の包装用箱の蓋部と吊り下げ部の折り返し板とを対比して示す拡大図である。
図１（Ａ）及び（Ｂ）に示す如く、包装用箱Ａは、箱本体１０と吊り下げ部１１とから形成されている。
箱本体１０は、正面板２１、背面板２２及び両側面板２３を備える胴部２、胴部２の上端開口を覆う蓋部３並びに胴部の下端開口を塞ぐ底部（図示せず）から形成されている。
吊り下げ部１１は、背面板２２から延在した延在部２４及び該延在部２４より正面側に折り返された折り返し板２５から形成されている。
正面板２１の上辺には、正面側折り曲げ線３２を介して、蓋部３が延設され、蓋部３の先端には、背面側折り曲げ線３３を介して、吊り下げ部１１に沿う蓋部先端片３１が延設されている。
蓋部３の背面側折り曲げ線３３の近傍に、背面側折り曲げ線３３に沿う係止スリット３４が形成され、一方、折り返し板２５の先端には、係止スリット３４に挿入して係止可能な係止片２６が形成されている。
【０００９】
図１に示した包装用箱は、図２に展開図を示したブランクを順序に従って組立て、図１の（Ａ）に示した状態から、係止片２６を係止スリット３４に挿入・係止することにより、図１の（Ｂ）に示した状態の包装用箱が得られる。
【００１０】
本発明の包装用箱は、上記のような包装用箱において、折り返し板の係止片を除く係止片の両側の領域において、係止片の近傍（係止片の基部の高さ方向の長さ）よりも高さ方向の長さを長くする突出領域を設けることを特徴とするものである。 即ち、図３に示すように、折り返し板２５の高さ方向の長さは、中央部の係止片近傍において（又は、係止片の基部近傍において）延在部２４と略等しく、側方部の端縁においてＹだけ大きくなるように形成している。
このように形成することにより、係止片２６を係止スリット３４に係止した状態で、折り返し板２５の端縁において蓋部３を押すことになり、蓋部３が確実に固定される。
なお、図３では、高さ方向の長さが、中央部から側方部に向けて連続的に大きくなるように傾斜させて形成しているが、中央部より側方部の方が高さ方向の長さが大きくなっているのであれば、必ずしも連続的に大きくする必要はなく、不連続に大きくなるように形成してもよい。
図３中の、高さ方向の長さの差Ｙは、スプリング効果が得られる長さであればよく、逆に、蓋部に加わる力が強くなりすぎると包装用箱を変形させる虞があるので、包装用箱を形成する紙や合成樹脂シートの厚みと同等程度とするのが適当である。
【００１１】
図１〜３に示した実施例においては、蓋部先端片３１は、背面側折り曲げ線３３を介して上方に折り曲げて、吊り下げ部１１に沿わせるが、逆に、背面側折り曲げ線３３を介して下方に折り曲げて、背面板２２に沿わせ、箱本体１０の内部に差し込む形に形成してもよい。
蓋部先端片３１を上方に折り曲げると、蓋が浮き易くなり、また、蓋部先端片３１を下方に折り曲げる場合にも、蓋部先端片３１が箱本体の上部フラップに係合する等しなければ、同様に蓋が浮き易くなるが、本発明においてはそのようなことは起こらない。
【００１２】
図４に示した包装用箱は、図１に示した包装用箱とは、蓋部先端片３１の折り返し方向において異なるものである。
即ち、図４に示した包装用箱においては、図５に示すように、蓋部先端片３１を、係止スリット近傍部分３１ａと、その他部分３１ｂ、３１ｃとに分け、係止スリット近傍部分３１ａを背面側折り曲げ線３３を介して上方に折り曲げて吊り下げ部１１に沿わせ、その他部分３１ｂ、３１ｃを背面側折り曲げ線３３を介して下方に折り曲げて、背面板２２に沿わせ、箱本体１０の内部に差し込む形に形成している。
【００１３】
このように、蓋部先端片３１の係止スリット近傍部分３１ａを上方に折り曲げて形成することにより、係止を解除して蓋部を開ける際には、その上方に折り曲げた３１ａが摘み片となって、蓋部を容易に開けることができ、且つ、その他部分を背面側折り曲げ線３３を介して下方に折り曲げて、背面板２２に沿わせて箱本体１０の内部に差し込むので、係止を解除するまでの蓋部３の固定を確実とすることができる。
【００１４】
本発明の包装用箱においては、係止片を係止スリットに挿入して係止する。係止片と係止スリットとの係止を確実又は強くするために、係止片に凹凸を設けて係止スリットとの摩擦によって抜けにくくする手段、係止片を折り曲げて係止スリットに挿入し係止片の折り曲げ部の反発力によって係止する方法もあるが、係止片２６は最大幅が係止スリット３４の幅以下であって挿入可能な幅で形成し、係止片２６と係止スリット３４とを幅方向に相対的位置をスライド移動させた状態で挿入し、係止片２６の幅狭の基部の一つの端側のみを係止スリット３４（の一つの端側）に係止する方法を採ることもできる。即ち、図３に示すように、包装用箱の幅方向において係止片２６の基部の一つの端側２６ａは、係止スリット３４に係止可能な範囲にあるが、係止片２６の基部の一つの端側２６ａにおいて形成された幅方向に長い突出部２６ｂは、係止スリット３４の端部４３ａよりも距離Ｗ１だけ外側に位置している。
【００１５】
また、係止片２６と係止スリット２６との係止をより確実にするため、係止片２６を、係止スリット２６の長さと概ね同じ幅を最大幅とし、基部を幅狭に形成すると共に、係止片２６の中心線と係止スリット２６の中心線とを偏位させて形成することが好ましい。
即ち、図３に示すように、係止片２６の最大幅と係止スリット３４の長さとを、略同じ２Ｌとしているが、係止スリットの幅方向中央（図中、一点破線と交わる位置）が、係止片２６の幅方向中心を通る上下に延びる中心線（図中、一点破線で示す）に対して、係止スリット３４の軸方向（図３中の右方向）に距離Ｗ２だけ偏位する位置に、係止スリット３４を形成している。
そして、係止片２６を係止スリット３４に挿入して係止させる際には、蓋部先端片３１を係止スリット３４の軸方向で偏位の方向とは逆の方向（図３中の左方向）にスライド移動させ、係止スリット３４の幅方向中央と係止片２６の上下に延びる中心線とがほぼ一致し、偏位が解消した状態で係止片２６を係止スリット３４に挿入し、係止片２６を基部２６ａまで挿入した後、スライド移動を解除して、係止を完了させる。
係止が完了した状態では、係止片２６の基部の一つの端部２６ａにおいて係止スリット３４の端部３４ａが係合する形となるので、偏位の距離Ｗ２は、係止片２６の基部２６ａの深さと最大幅との長さの差の半分、即ち図中のＬとＭとの差（Ｌ−Ｍ）と同等とするのが適当である。また、偏位の距離Ｗ２は、係止片２６が係止スリット３４よりも幅方向で外側に位置する側において、基部２６ａより最大幅の部分が幅方向に突出した長さと同等とすることも可能である。一方、係止片２６が係止スリット３４の範囲内に位置する側においては、最大幅の部分が基部２６ａより突出しているか、又は、突出していない状態であっても良い。
なお、図３の例では、図中の右方向に偏位させているが、逆に、図中の左方向に偏位させても差し支えない。
【００１６】
そして、図１〜３に示した実施例においては、折り返し板２５は、蓋部よりも幅を狭く、即ち、図３中のＺ１＜Ｚ２となるように形成しているが、必ずしも両者の幅を同じくする必要は無く、蓋部の幅と同じ、即ち、Ｚ１＝Ｚ２の関係になるように形成しても差し支えない。
但し、特に、図４及び５に示した包装用箱の場合や前記した折り返し板全体を下方に折り曲げて、背面板２２に沿わせ、箱本体１０の内部に差し込む形に形成した包装用箱の場合は、係止片２６を係止スリット３４に挿入し係止させる際の蓋部のスライド移動を容易にするために、図５に示すように、スライド移動する側にある端縁（図５の場合は、その他部分３１ｂの端縁）を背面板２３と側面板２１との稜線より内側に設けるのが好ましい。この内側となる距離Ｘは、偏位の距離Ｗ２以上の距離であれば、特に制限はない。
【００１７】
図１〜５に示した例では、係止片は両側面を角形としているが、基部を幅狭に形成している限り、円弧状その他の形状を採ることができる。
また、 図１〜５に示した例では、箱本体は側面板２３が平面の四角筒状となっているが、側面板２３が折れ曲がった、六角筒状その他の形状を採ることもできる。
【００１８】
本発明の包装用箱を形成する材料としては、この種の包装用箱に通常使用される材料のいれもが使用可能であり、白板紙、マニラボール等の紙基材やポリエチレンテレフタレート、ポリプロピレン、ポリ塩化ビニル、ポリスチレン等のプラスチックシートを例示することができる。
【産業上の利用可能性】
【００１９】
本発明の包装用箱は、衣料品、雑貨、薬品、電気製品、電気部品等の商品を包装し、フックに吊り下げて、店頭に展示するために用いる。
【図面の簡単な説明】
【００２０】
【図１】本発明の包装用箱の１実施例を示す斜視図である。
【図２】図１の包装用箱を形成するブランクの展開図である。
【図３】図１の包装用箱の蓋部と吊り下げ部の折り返し板とを対比して示す拡大図である。
【図４】本発明の包装用箱の１実施例を示す斜視図である。
【図５】図４の包装用箱の蓋部と吊り下げ部の折り返し板とを対比して示す拡大図である。
【符号の説明】
【００２１】
Ａ：包装用箱
１０：箱本体
１１：吊り下げ部
２：胴部
２１：正面板
２２：背面板
２３：側面板
２４：延在部
２５：折り返し板
２６：係止片
３：蓋部
３１：蓋部先端片
３２：正面側折り返し線
３３：背面側折り返し線
３４：係止スリット
【図１】
2008120401.tif 000003
【図２】
2008120401.tif 000004
【図３】
2008120401.tif 000005
【図４】
2008120401.tif 000006
【図５】
2008120401.tif 000007